(57)【要約】【課題】室外機器の設置環境に左右されることなく、紫外線量の高い直射日光下の紫外線量を検出すること。【解決手段】紫外線検出システム１は、室外機２の直射日光が当たらない位置に取り付けられると共に紫外線情報を示す紫外線値を検出する紫外線センサ６と、信号線５を介して前記室外機２と接続された室内機３と、前記紫外線情報を表示するリモコン４と、前記紫外線センサ６の検出する紫外線値と当該検出時における直射日光下の基準紫外線値との比に基づいて前記検出された紫外線値が直射日光下の紫外線情報となるように補正し、補正された紫外線情報を前記リモコン４に表示させる補正制御手段と、を備えた。【選択図】図１
2010038453.tif 000002
【特許請求の範囲】
【請求項１】
室外機器の直射日光が当たらない位置に取り付けられると共に紫外線情報を示す紫外線値を検出する紫外線センサと、
信号線を介して前記室外機器と接続された室内機器と、
前記紫外線情報を表示する表示機器と、
前記紫外線センサの検出する紫外線値と当該検出時における直射日光下の基準紫外線値との比に基づいて前記検出された紫外線値が直射日光下の紫外線情報となるように補正し、補正された紫外線値を前記表示機器に表示させる補正制御手段と、を備えたことを特徴とする紫外線検出システム。
【請求項２】
前記基準紫外線値は、前記室外機器の設置地域を示す位置情報、前記室外機器の設置時の天気を示す天気情報、年月日情報及び時間情報から算出されることを特徴とする請求項１に記載の紫外線検出システム。
【請求項３】
前記室外機器は把持部を有し、当該把持部に前記紫外線センサが取り付けられていることを特徴とする請求項１又は請求項２に記載の紫外線検出システム。
【請求項４】
前記室外機器は内部にファンの取り付けられた開口部を有し、当該開口部に前記紫外線センサが取り付けられていることを特徴とする請求項１又は請求項２に記載の紫外線検出システム。
【発明の詳細な説明】
【技術分野】
【０００１】
本発明は、屋外の紫外線量を検出する紫外線センサを備えた紫外線検出システムに関する。
【背景技術】
【０００２】
従来、屋外の紫外線量を検出する紫外線センサを備えた空気調和機が知られている（特許文献１参照）。この空気調和機は、紫外線センサを有する室外機と、連絡配線を介して室外機と接続された室内機と、室内機と通信可能なリモコン（表示機器）とを備えており、紫外線センサで検出した紫外線量を、連絡配線を介して室内機に送り、リモコンに表示させている。
【特許文献１】特開２００２−１８８８４４号公報
【発明の開示】
【発明が解決しようとする課題】
【０００３】
ところで、紫外線量は、太陽光を直接受ける場所（日向）と太陽光が一部遮られる場所（日陰）とでは大きく異なるため、例えば、皮膚や目に影響を及ぼす紫外線対策を行う場合には、紫外線量の高い日向の紫外線量を利用することが好ましい。
しかしながら、従来の空気調和機においては、室外機がベランダの床面や上階のベランダ下面近傍に吊下げられて設置された場合には、当該室外機の設置環境が時刻等によって日向から日陰に（又は、日陰から日向に）変わってしまうことが考えられる。この場合には、紫外線センサの設置環境も時刻等により変わり、紫外線対策として適切ではない紫外線量を検出してしまう恐れがある。
【０００４】
本発明は、かかる点に鑑みてなされたものであり、室外機器の設置環境に左右されることなく、紫外線量の高い直射日光下の紫外線量を検出することができる紫外線検出システムを提供することを目的とする。
【課題を解決するための手段】
【０００５】
本発明の紫外線検出システムは、室外機器の直射日光が当たらない位置に取り付けられると共に紫外線情報を示す紫外線値を検出する紫外線センサと、信号線を介して前記室外機器と接続された室内機器と、前記紫外線情報を表示する表示機器と、前記紫外線センサの検出する紫外線値と当該検出時における直射日光下の基準紫外線値との比に基づいて前記検出された紫外線値が直射日光下の紫外線情報となるように補正し、補正された紫外線値を前記表示機器に表示させる補正制御手段と、を備えたことを特徴とする。
【０００６】
この構成によれば、紫外線センサの検出する紫外線値（実測値）と当該検出時における直射日光下の基準紫外線値との比に基づいて検出された紫外線値が直射日光下の紫外線情報を示すように補正し、補正された紫外線値を表示するので、室外機器の設置環境に左右されることなく、紫外線量の高い直射日光下の紫外線情報を表示することができる。例えば、室外機器の設置時において、検出された紫外線値と基準紫外線値とから比を求めれば、次回以降の紫外線値の検出時には、設置時に求めた比を使って紫外線値（実測値）を補正すればよいので、効率的に紫外線値を補正することができる。
【０００７】
上記紫外線検出システムにおいて、前記基準紫外線値は、前記室外機器の設置地域を示す位置情報、前記室外機器の設置時の天気を示す天気情報、年月日情報及び時間情報から算出することができる。
【０００８】
上記紫外線検出システムにおいて、前記室外機器は把持部を有し、当該把持部に前記紫外線センサが取り付けられる構成にすることができる。また、上記紫外線検出システムにおいて、前記室外機器は内部にファンが取り付けられた開口部を有し、当該開口部に前記紫外線センサを取り付ける構成にしてもよい。
【０００９】
この構成によれば、常に日陰に紫外線センサを配置することができ、室外機の設置場所の影響を受けない。また、ファンの前に取り付けることでファン動作時に紫外線センサ上についたゴミや水分を飛ばすことができる。
【発明の効果】
【００１０】
本発明によれば、室外機器の設置環境に左右されることなく、紫外線量の高い直射日光下の紫外線量を検出することができる紫外線検出システムを提供することができる。
【発明を実施するための最良の形態】
【００１１】
以下、図面を参照して、本発明の実施の形態について詳細に説明する。本実施の形態に係る紫外線検出システムは、屋外に設置された室外機器に取り付けられた紫外線センサが紫外線量を検出し、屋内に設置された室内機器を介して表示機器に表示するものである。本実施の形態では、この紫外線検出システムを、空気調和機に適用した場合を例に説明する。
【００１２】
図１は、本発明の実施の形態に係る紫外線検出システムを模式的に示した図であり、図２は、紫外線検出システムを構成する室外機を模式的に示した図である。図１に示すように、紫外線検出システム１は、屋外に設置される室外機２と、ケーブル（信号線）５を介して室外機２と接続された室内機３と、室内機３と通信可能なリモコン（表示機器）４と、を備えており、室外機２は屋外の紫外線情報を示す紫外線検出信号を検出する紫外線センサ６を有している。この紫外線検出システム１では、紫外線センサ６が紫外線検出信号（紫外線値）を検出してケーブル５を介して室内機３に送信し、室内機３は当該検出信号をリモコン４に出力可能なデータに変換して表示している。
【００１３】
図２に示すように、室外機２は、概略箱状に形成されており、正面板２１、天板２２、及び２枚の側板２３及び背面板（図示せず）から主に構成されている。正面板２１には、吸排気用の開口部２４が形成され、側面板２３に室外機２の移動等の際に使用される把持部２５が設けられている。なお、図示は省略したが、室外機２の内部には、一般の室外機２が有する送風ファン、熱交換機、室外機２を制御する制御回路基板が設けられ、当該回路基板には紫外線センサ６が接続されている。
【００１４】
把持部２５は、室外機２の内部に向かって凹状に形成されており、この凹部に紫外線センサ６が取り付けられている。この凹部は、直射日光が当たらない常に日陰状態になっており、この一定の環境下の中で紫外線センサ６は紫外線値を検出している。このように、紫外線センサ６が、紫外線量の変動し易い環境となる室外機２の外周面ではなく、凹部に取り付けられているので、直接太陽光を受けることが無い環境下で、日陰状態における紫外線値を検出することができる。このため、紫外線センサ６は、時刻等により太陽の位置が変わった場合でも、安定した環境下で屋外の紫外線値を検出することができる。なお、紫外線センサ６の取付位置は、確実に直射日光を避け、常に日陰状態における紫外線量を検出する点で、凹部の奥側又は天井側であることがより好ましい。
【００１５】
また、図２に示す室外機２においては、側板２３の把持部２５に紫外線センサ６を設けたが、季節又は時刻により太陽光の入射角度等が変わった場合でも直射日光が当たらない場所であれば、この構成に限定されるものではない。例えば、図３に示すように、正面板２１に形成された開口部２４内部（裏側）に紫外線センサ６を取り付けてもよい。この場合には、紫外線センサ６が日陰状態に取り付けることができ、さらにファンの駆動により紫外線の到達の阻害要因となる大気中の粉塵や水分等を除去することができるので、紫外線量の検出精度を向上させることが可能である。なお、紫外線センサ６の室外機２への取付方法は、任意の方法で取り付け可能である。
【００１６】
室内機３は、当該室内機３を制御する制御回路基板３１を備えており、紫外線センサ６の検出する紫外線値と当該検出時における直射日光下の基準紫外線値との比に基づいて、検出した紫外線値が直射日光下の紫外線情報を示すように当該紫外線値を補正し、リモコン４に出力可能なデータに変換してリモコン４に送出する（補正制御手段）。これにより、室外機２の設置環境に左右されることなく、紫外線量の高い直射日光下の紫外線情報を表示することができる。ここで、基準紫外線値は、例えば、室外機２の設置地域を示す位置情報（緯度又は地域）、室外機２の設置時の天気を示す天気情報、年月日情報及び時間情報から算出される。これらの情報から基準となる紫外線値を求めたデータを予め準備しておく。従って、室外機２の設置時における直射日光下の紫外線検出値と当該設置時における紫外線センサ６の検出した紫外線値（実測値）とに基づいて比を求めれば、次回以降の紫外線検出時には、設置時に求めた比を使って紫外線値（実測値）を補正すればよいので、簡単かつ効率的に紫外線値を補正することが可能である。なお、室内機３は、補正後の紫外線値の高低により、紫外線情報を、例えば、高レベル、中レベル、低レベルの３段階にレベル分けしたレベル情報としてリモコン４に送出してもよい。また、室内機３は、一般の室内機３が有する冷暖房及び送風機能等を備えており、リモコン４による室内温度設定や冷房、送風又は暖房切り替え可能に構成されている。
【００１７】
リモコン４は、紫外線情報を表示する表示部４１と、表示部４１の近傍に配設された各種設定及び登録操作に用いられる複数の操作ボタン４２とを備えている。操作ボタン４２は、通常の冷暖房機能等の設定又は切替えの他、上記位置情報、天気情報、年月日及び時刻情報等の入力の際に用いられる。
【００１８】
次に、図４及び図５を参照して、直射日光下の基準紫外線値の算出方法及び紫外線センサ６の検出した紫外線値の補正方法について説明する。図４は、直射日光下の基準紫外線値及び補正係数の算出方法を示すフローチャートであり、図５は、紫外線値の補正方法を示すフローチャートである。先ず、直射日光下の基準紫外線値及び補正係数の算出方法について説明する。
【００１９】
室外機２を任意の場所に設置し、当該設置時における天気情報ａを入力する（ステップＳＴ１）。ここで、天気情報ａは、各天気の紫外線量比を示すものであり、晴天時を「１」とした場合に、例えば、晴れが「０．９５」、薄曇りが「０．９」、曇が「０．６」、雨が「０．３」で示される。次に、室外機２の設置場所を示す位置情報ｂを入力する（ステップＳＴ２）。位置情報ｂは、下記式（１）で算出される。
位置情報ｂ＝0.0295x+1.7642…（１）
【００２０】
次に、室外機２の設置時の年月日を示す月日情報ｃと、設置時の時間情報ｄを入力する（ステップＳＴ３，ＳＴ４）。月日情報ｃは下記式（２）で、時間情報ｄは下記式（３）で算出される。
月日情報ｃ＝0.0002x5-0.0059x4+0.0602x3-0.2614x2+0.5699x-0.0682…（２）
時間情報ｄ＝0.00005x6+0.0034x5-0.0954x4+1.389x3-10.872x2+43.537x-69.934…（３）
【００２１】
次に、下記式（４）に示すように、天気情報ａ、位置情報ｂ、月日情報ｃ及び時間情報ｄとから係数ｅを算出する（ステップＳＴ５）。
係数ｅ＝ａ×ｂ×ｃ×ｄ…（４）
【００２２】
そして、下記式（５）により、算出された係数ｅに基づいてインデックスが決まり（ステップＳＴ６）、当該インデックスに対応する直射日光下の紫外線情報を示す基準紫外線値Ａが決まる（ステップＳＴ７）。
インデックス＝９×ｅ…（５）
ここで、インデックスとは、世界保健機関（ＷＨＯ）の規格で定められたもので、紫外線強度に基づいて日常で使用しやすい簡単な数値とするために指標化したものである。本実施の形態では、この規格値に合わせるために係数９を掛けている。
【００２３】
続けて、室外機２の設置時に紫外線センサ６の検出した紫外線値Ｂを読み取り（ステップＳＴ８）、当該紫外線値（実測値）Ｂと上記直射日光下における基準紫外線値Ａとの比から、前記紫外線値Ｂを補正するための補正係数Ｃを算出する（ステップＳＴ９）。この補正係数Ｃは、次回から計算せずに使用するため、記憶しておく。
【００２４】
次に、紫外線値の補正方法について説明する。図５に示すように、設置場所の紫外線値Ｂを検出し（ステップＳＴ１１）、上記補正係数Ｃを掛けて、直射日光下の紫外線情報を示すように補正し、リモコン４に出力可能なデータに変換し（ステップＳＴ１２）、補正後の紫外線値を表示部４１に表示する（ステップＳＴ１３）。なお、室外機器２の設置時に紫外線値を測定する場合には、ステップＳＴ１１の処理は不要であり、図４のステップＳＴ８で検出した紫外線値Ｂを用いて、紫外線値を補正する。また、２回目以降に紫外線値を測定する場合には、上記図４のステップＳＴ１〜７及びＳＴ９の処理を行う必要はなく、ステップＳＴ９で算出した補正係数Ｃを用いて紫外線センサ６の検出した紫外線値を補正すればよい。
【００２５】
以上のように、紫外線センサ６の検出する紫外線値（実測値）と当該検出時における直射日光下の基準紫外線値との比に基づいて紫外線値が直射日光下の紫外線情報となるように補正し、補正された紫外線値を表示するので、室外機２の設置環境に左右されることなく、紫外線量の高い直射日光下の紫外線情報を表示することができる。
【００２６】
なお、図４では、直射日光下における基準紫外線値Ａを室外機２の設置時に算出する場合を例に説明したが、これに限定されるものではなく、補正係数Ｃを求める上で、基準紫外線値の算出と、初回の紫外線センサ６の紫外線の検出とが併せて行われるものであればよい。
【００２７】
また、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【産業上の利用可能性】
【００２８】
本発明は、紫外線情報を示す紫外線値を検出する紫外線センサを有する紫外線検出システムであり、例えば、紫外線センサが取付可能な室外機器を備えた空気調和機に適用可能である。
【図面の簡単な説明】
【００２９】
【図１】本発明の実施の形態に係る紫外線検出システムを示す模式図である。
【図２】紫外線センサが取り付けられた室外機を示す模式図である。
【図３】紫外線センサが取り付けられた室外機のその他の例を示す模式図である。
【図４】直射日光下の基準紫外線値の算出方法を説明するためのフローチャートである。
【図５】紫外線検出値の補正方法を説明するためのフローチャートである。
【符号の説明】
【００３０】
１  紫外線検出システム
２  室外機
３  室内機
４  リモコン（表示機器）
５  ケーブル（信号線）
６  紫外線センサ
２１  正面板
２２  天板
２３  側板
２４  開口部
２５  把持部
３１  制御回路基板
４１  表示部
４２  操作ボタン
【図１】
2010038453.tif 000003
【図２】
2010038453.tif 000004
【図３】
2010038453.tif 000005
【図４】
2010038453.tif 000006
【図５】
2010038453.tif 000007